(57)【要約】【課題】取扱いが容易で、ノズルからの洗浄水の飛び散りを防止しつつ、ノズルの清掃を行うことができる、清掃用具を提供する。【解決手段】本発明は、腰掛け便器において人体局部を洗浄する洗浄水を吐出するノズル、を清掃するための清掃用具であって、前記ノズルの移動範囲の上方を覆うように、前記便器に取り付けられ、可撓性を有する液不透過性のカバー部材と、前記カバー部材に取付けられ、前記ノズルに接触して清掃を行うための清掃部と、を備え、前記カバー部材の一端部が、前記便器に取り付け可能となっており、前記カバー部材の他端部に、前記清掃部が取り付けられ、前記カバー部材は、前記一端部と他端部との間の長さが調整可能に構成され、前記カバー部材は、少なくとも、前記長さが短い第１態様と、前記長さの長い第２態様とを選択的に取り得るように構成されている。【選択図】図８
2018193750.tif 000002
【特許請求の範囲】
【請求項１】
腰掛け便器において人体局部を洗浄する洗浄水を吐出するノズル、を清掃するための清掃用具であって、
前記ノズルの移動範囲の上方を覆うように、前記便器に取り付けられ、可撓性を有する液不透過性のカバー部材と、
前記カバー部材に取付けられ、前記ノズルに接触して清掃を行うための清掃部と、
を備え、
前記カバー部材の一端部が、前記便器に取り付け可能となっており、
前記カバー部材の他端部に、前記清掃部が取り付けられ、
前記カバー部材は、前記一端部と他端部との間の長さが調整可能に構成され、
前記カバー部材は、少なくとも、前記長さが短い第１態様と、前記長さの長い第２態様とを選択的に取り得るように構成されている、清掃用具。
【請求項２】
前記カバー部材は、前記一端部から他端部との間で折り畳むことで、前記第１態様を構成する、請求項１に記載の清掃用具。
【請求項３】
前記カバー部材は、前記一端部から他端部へ延びる第１方向と直交する第２方向に平行な複数の折り目によって折り畳まれる、請求項２に記載の清掃用具。
【請求項４】
前記折り畳んだ状態を保持する保持手段を備えている、請求項２または３に記載の清掃用具。
【請求項５】
前記保持手段は、破断線が設けられたテープにより構成される、請求項４に記載の清掃用具。
【請求項６】
前記カバー部材の一端部は、接着手段により、前記便器に取り付けられ、
前記接着手段による前記便器への接着強度が、前記保持手段による折り畳み状態の保持強度よりも大きい、請求項４または５に記載の清掃用具。
【請求項７】
前記第１態様では、前記清掃部の全体が、前記ノズル側に露出するように構成されている、請求項１から６のいずれかに記載の清掃用具。
【請求項８】
前記カバー部材の一端部を前記便器に取り付けるための位置決め手段をさらに備えている、請求項１から７のいずれかに記載の清掃用具。
【発明の詳細な説明】
【技術分野】
【０００１】
本発明は、腰掛け便器において人体局部を洗浄する洗浄水を吐出するノズル、を洗浄するための清掃用具に関する。
【背景技術】
【０００２】
近年、腰掛け便器（所謂洋式便器）には、人体局部を洗浄するための温水洗浄装置が設けられているものが多い。この温水洗浄装置は、前進後退するノズルが設けられており、人体局部の洗浄を行う場合には、ノズルが前進し、ノズルに設けられた吐出口から洗浄水を人体局部に向けて吐出する。このようなノズルは、外周面が汚れやすく、特に吐出口が形成された上面に汚れが付着しやすい。そこで、このようなノズルを清掃するための種々の清掃用具が提案されている。
【０００３】
例えば、特許文献１には、次のような清掃用具が開示されている。すなわち、この清掃用具は、一端部を便器に取り付け可能な可撓性のあるカバー部材を有し、このカバー部材の他端部にスポンジ等の清掃部が取り付けられている。そして、カバー部材の一端部を便器に取り付け、ノズルの移動範囲の上方をカバー部材で覆った状態で、ノズルから洗浄水を吐出させる。洗浄水は、カバー部材に当たるため、周囲に飛び散るのが防止される。この状態で、洗浄水を吐出させながら、清掃部によってノズルを擦ることで、ノズルの清掃が行われる。
【先行技術文献】
【特許文献】
【０００４】
【特許文献１】特開２０１６−１９４２４０号公報
【発明の概要】
【発明が解決しようとする課題】
【０００５】
しかしながら、上記清掃用具は、次のような問題があった。すなわち、上記清掃用具のカバー部材はノズルの移動範囲の上方を覆う程度の大きさであるため、一端部を便器に取り付けたとき、清掃部から手を離すと、カバー部材が便器から垂れ下がり、清掃部が水溜まりに接触するおそれがある。したがって、一旦カバー部材を便器に取り付けると、清掃部を手で掴んでいなければならず、ノズルの清掃までの間の取扱いが、煩雑であった。
【０００６】
本発明は、上記問題を解決するためになされたものであり、取扱いが容易で、ノズルからの洗浄水の飛び散りを防止しつつ、ノズルの清掃を行うことができる、清掃用具を提供することを目的とする。
【課題を解決するための手段】
【０００７】
本発明は、腰掛け便器において人体局部を洗浄する洗浄水を吐出するノズル、を清掃するための清掃用具であって、前記ノズルの移動範囲の上方を覆うように、前記便器に取り付けられ、可撓性を有する液不透過性のカバー部材と、前記カバー部材に取付けられ、前記ノズルに接触して清掃を行うための清掃部と、を備え、前記カバー部材の一端部が、前記便器に取り付け可能となっており、前記カバー部材の他端部に、前記清掃部が取り付けられ、前記カバー部材は、前記一端部と他端部との間の長さが調整可能に構成され、前記カバー部材は、少なくとも、前記長さが短い第１態様と、前記長さの長い第２態様とを選択的に取り得るように構成されている。
【０００８】
この構成によれば、カバー部材の長さを調整できるため、カバー部材の長さを短くする第１態様の状態で、カバー部材の一端部を便器に取り付ければ、清掃部が水溜まりに接触するのを防止することができる。したがって、カバー部材の一端部を便器に取り付けた後に、清掃部から手を離しても清掃部が水溜まりに接触するのを防止することができる。したがって、カバー部材を便器に取り付けた後、清掃部を手で持ち続けなくてもよいため、取扱いが容易になる。
【０００９】
上記清掃用具において、第１態様の構成方法は、特には限定されないが、例えば、前記カバー部材は、前記一端部から他端部との間で折り畳むことで、前記第１態様を構成することができる。
【００１０】
上記清掃用具において、前記カバー部材は、前記一端部から他端部へ延びる第１方向と直交する第２方向に平行な複数の折り目によって折り畳むことができる。
【００１１】
上記各清掃用具において、前記折り畳んだ状態を保持する保持手段を備えることができる。
【００１２】
上記清掃用具において、前記保持手段は、破断線が設けられたテープにより構成することができる。これにより、破断線を破断させれば、カバー部材の折り畳み状態を容易に解除でき、第２態様にすることができる。
【００１３】
上記各清掃用具において、前記カバー部材の一端部は、接着手段により、前記便器に取り付けられ、前記接着手段による前記便器への接着強度を、前記保持手段による折り畳み状態の保持強度よりも大きくすることができる。
【００１４】
これにより、保持手段による折り畳みを解除する際に作用させる力によって、カバー部材の一端部が便器から外れるのを防止することができる。
【００１５】
上記各清掃用具において、前記第１態様では、前記清掃部の全体が、前記ノズル側に露出するように構成することができる。
【００１６】
この構成によれば、清掃部全体がノズル側に露出しているため、ノズルが突出したときに、ノズルを清掃具全体でスムーズに受け止めることができる。
【００１７】
上記各清掃用具においては、前記カバー部材の一端部を前記便器に取り付けるための位置決め手段をさらに備えることができる。例えば、カバー部材が第１態様にあり、短くなっている場合には、カバー部材がノズルの移動範囲を覆う位置が分かりづらいことがある。そこで、このような位置決め手段を設けておけば、カバー部材が第１態様にあっても、カバー部材を便器の適切な位置に容易に取り付けることができる。
【発明の効果】
【００１８】
本発明に係る清掃用具によれば、取扱いが容易で、ノズルからの洗浄水の飛び散りを防止しつつ、ノズルの清掃を行うことができる。
【図面の簡単な説明】
【００１９】
【図１】本発明に係る清掃用具が対象とする温水洗浄装置付き腰掛け便器の断面図である。
【図２】図１の平面図である。
【図３】本発明に係る清掃用具の一実施形態を示す、第２態様にある清掃用具を上側から見た平面図である。
【図４】図３の清掃用具を下側から見た底面図である。
【図５】図３の側面図である。
【図６】図３の正面図である。
【図７】第２態様から第１態様を形成するのを説明する断面図である。
【図８】第１態様にある清掃用具の側面図である。
【図９】図８の平面図である。
【図１０】図３の清掃用具の使用方法を説明する断面図である。
【図１１】図３の清掃用具の使用方法を説明する断面図である。
【図１２】図３の清掃用具の使用方法を説明する断面図である。
【図１３】図３の清掃用具の使用方法を説明する断面図である。
【図１４】図３の清掃用具の使用方法を説明する平面図である。
【図１５】図３の清掃用具におけるカバー部材の折り畳みの例を示す端面図である。
【図１６】図３の清掃用具の他の例を示す平面図である。
【発明を実施するための形態】
【００２０】
以下、本発明に係る清掃用具の一実施形態について、図面を参照しつつ説明する。本実施形態に係る清掃用具は、腰掛け便器（いわゆる洋式便器）に取付けられる温水洗浄装置のノズルを清掃するためのものである。以下では、この温水洗浄装置が設けられた便器について説明し、その後、清掃用具について説明する。
【００２１】
＜１．便器＞
図１は温水洗浄装置が取り付けられた腰掛け便器の断面図、図２は図１の平面図である。これらの図に示すように、この腰掛け便器１００に取り付けられた温水洗浄装置は、便座１０１の奥端部の下方に収容された洗浄用の円筒状のノズル１０２を備えており、このノズル１０２の上面には、上方に向かって洗浄水を吐出するための吐出口１０３が形成されている。そして、温水洗浄装置の洗浄スイッチ（図示省略）をオンにすると、ノズル１０２が前進し、便座１０１に座る利用者の局部に向けてノズル１０２の吐出口１０３から洗浄水が吐出される。そして、洗浄スイッチをオフにすると、洗浄水の吐出が停止するとともに、ノズル１０２が後退し便座の奥端部の下方に収容される。
【００２２】
このような温水洗浄装置では、ノズル１０２が汚れやすく、特に吐出口１０３が形成されたノズル１０２の上面が汚れやすい。本実施形態に係る清掃用具は、このようなノズル１０２の清掃を行うものである。
＜２．清掃用具の構造＞
【００２３】
まず、本実施形態に係る清掃用具の構造について説明する。この清掃用具は、折り畳まれた第１態様と、折り畳みが解除され、長くなった第２態様とを選択的に取り得るように構成されている。はじめに、第２態様について説明した後、第１態様について説明する。
【００２４】
図３は、第２態様にある清掃用具を上側から見た平面図、図４は図３の清掃用具を下側から見た底面図、図５は図３の側面図、図６は図３の正面図である。以下では、清掃用具における説明の便宜上、図３の左側を前側または先端側、右側を後側または後端側、図３の上下方向を幅方向、図５の上側を上、下側を下と称することとする。但し、温水洗浄装置のノズルについては、突出方向を前側または先端側と称し、清掃用具の部位の方向とは反対の表示をすることがある。
【００２５】
図３〜図６に示すように、本実施形態に係る清掃用具は、長方形状のカバー部材１を備えている。このカバー部材１は、長手方向が前後方向（第１方向）に沿い、短手方向が幅方向（第２方向）に沿うように形成されている。このカバー部材１の長手方向の先端部（一端部）の上面には、幅方向に沿うようにテープ２が設けられている。このテープ２は、接着面の先端側がカバー部材１の下方に露出するように取り付けられており、図示を省略する剥離紙が取り付けられている。一方、カバー部材１の長手方向の後端部（他端部）は、ヒートシール１１により固定されている。より詳細に説明すると、カバー部材１の長手方向の後端部は２つ折りにされ、ヒートシールにより固定されている。すなわち、カバー部材１の後端部が閉じられるように構成されている。このようにカバー部材１の後端部が２つ折りにされて固定されているため、カバー部材１の下面には、後端部側において断面三角形状の空間が形成される。但し、カバー部材１の先端部は固定されていないため、この空間の高さは、先端に行くにしたがって低くなり、先端部では、カバー部材１が概ね平坦に形成されている。そして、このカバー部材１の後端側の下面には、ノズル１０２を清掃するための清掃部３が取り付けられている。
【００２６】
カバー部材１は、液不透過性で可撓性のある材料で形成されており、例えば、樹脂素材よりなるシート状材料で形成することができる。カバー部材１は、後述するように、便器のノズル１０２の位置を確認できるようにするため、透明や半透明であることが好ましいが、特には限定されない。また、カバー部材１の長手方向の長さＬ（カバー部材１の先端部から清掃部３までの長さ）は、例えば、１０〜１６ｃｍであることが好ましく、１２〜１４ｃｍであることがさらに好ましい。また、カバー部材１の幅Ｗは、例えば、１６〜２２ｃｍであることが好ましく、１８〜２０ｃｍであることがさらに好ましい。なお、この幅Ｗは、カバー部材１が矩形状以外である場合には、最も広い部分の幅を指す。
【００２７】
また、カバー部材１の先端側には、円弧状の位置決め線（位置決め手段）１５が設けられている。この位置決め線１５は、カバー部材１を便器に取り付ける際の位置決めに用いられる。すなわち、この位置決め線１５が便器（または便座）の縁に一致するように、両面テープ２を便器に取り付けるようになっている。
【００２８】
次に、清掃部３について説明する。清掃部３は、矩形状のスポンジなどで形成されており、２つ折りにされて、カバー部材１の下面の後端側に固定されている。このとき、清掃部３は、カバー部材１の下面に沿うように、後端側では、ヒートシール１１に沿うようにほぼ２つ折りに折り曲げられているが、先端側は、正面視で三角形状をなすように開放された開口を形成している。以下、この開口をノズル挿入用開口３１と称することとする。
【００２９】
続いて、カバー部材１の第１態様について、図７〜図９を参照しつつ説明する。図７は第２態様から第１態様を形成するのを説明する断面図、図８は第１態様にある清掃用具の側面図、図９は図８の平面図である。第１態様は、第２態様からカバー部材１を折り畳み、前後方向の長さを短くした形態である。具体的には、図３に示すように、カバー部材１において、幅方向に延びる平行な２つの折り曲げ線Ｓ１，Ｓ２を規定する。ここでは、先端側の折り曲げ線を第１折り曲げ線Ｓ１、後端側の折り曲げ線を第２折り曲げ線Ｓ２と称することとする。第２折り曲げ線Ｓ２は、清掃部３よりもやや先端側に配置され、第１折り曲げ線Ｓ１は、カバー部材１の先端と第２折り曲げ線Ｓ２の概ね中央付近に配置されている。
【００３０】
そして、図７（ａ）に示すように、第２折り曲げ線Ｓ２を折り曲げ、カバー部材１の先端側が上側に重なるようにする。すなわち、カバー部材１の先端が後方を向くようにする。この状態から、図７（ｂ）に示すように、第１折り曲げ線Ｓ１を折り曲げ、カバー部材１の先端側がさらに上側に重なるようにする。すなわち、カバー部材１の先端が前側を向くようにする。最後に、図７（ｃ）に示すように、カバー部材１の上面に、第１折り曲げ線Ｓ１を跨ぐように、保持テープ（保持手段）４を貼り付ける。これにより、折り曲げ状態が保持される。この保持テープ４は、一般的な接着用のテープでよいが、例えば、図９に示すように、幅方向に破断線４１が形成されていると、カバー部材１の後端側を引っ張ったときに、破断線４１が破断し、折り畳み状態を容易に解除することができる。こうして、図８及び図９に示すように、第１態様の清掃用具が完成する。
【００３１】
なお、この保持テープ４が破断するときの破断強度は、後述するように便座１０１に貼付けたテープ２を面方向に引っ張って便座１０１から剥がれるときの強度よりも小さいことが好ましい。例えば、保持テープ４の破断強度は、２〜７Ｎとすることができ、テープ２を剥がすための強度は１０〜２０Ｎとすることができる。これにより、後述するように、カバー部材１を引っ張って保持テープ４を破断させたときに、テープ２が便座１０１から剥がれるのを防止することができる。
【００３２】
＜３．清掃用具の使用方法＞
次に、上記のように構成された清掃用具の使用方法について、図１０〜図１４を参照しつつ説明する。なお、以下の図面では、説明の便宜のため、清掃部３を把持する利用者の手を省略して示している。まず、図１０に示すように、第１態様にあるカバー部材１の先端部を、テープ２によって、便座１０１の奥端部に固定する。このとき、便座１０１の縁に、位置決め線１５が沿うようにテープ２を便座１０１に貼付ける（図１４参照）。次に、清掃部３を手で把持した上で、後端側に引っ張り、保持テープ４を破断する。これにより、図１１に示すように、カバー部材１の折り畳み状態が解除され、第２態様になる。続いて、ノズル１０２が前進後退する移動領域の上方をカバー部材１で覆うように、清掃部３を便座１０１の奥端部から離した位置に配置する。このとき、清掃部３を、前進したノズル１０２をノズル挿入用開口３１に挿入できるような位置に配置する。
【００３３】
そして、図１２に示すように、温水洗浄装置の洗浄スイッチをオンにすると、ノズル１０２が前進し、吐出口１０３から洗浄水が上方に向かって吐出される。このとき、ノズル１０２の上方は、カバー部材１で覆われているため、吐出される洗浄水は、カバー部材１ではね返って便鉢１０４の中に落ちていく。すなわち、洗浄水が腰掛け便器１００から外部へ向かって噴射され、周囲に飛び散るのを防止することができる。そして、カバー部材１は透明であるため、カバー部材１の下方のノズル１０２の動作を観察しながら、前進してくるノズル１０２がノズル挿入用開口３１に挿入されるように、清掃部３を前方に移動させる。これに続いて、図１３及び図１４に示すように、ノズル挿入用開口３１に入ったノズル１０２を清掃部３で掴み、手を前後に移動させたり回転させたりする。これにより、清掃部３がノズル１０２の延びる方向に移動しつつ、ノズル１０２の表面を擦っていく。このとき、ノズル１０２からは洗浄水が吐出し続けているため、この洗浄水による効果も相俟って、ノズル１０２の表面が清掃される。なお、清掃具３は、カバー部材１で覆われているため、手が汚れることはない。
【００３４】
そして、清掃を終了する場合には、温水洗浄装置の洗浄スイッチをオフにする。これにより、ノズル１０２からの洗浄水の吐出が停止するとともに、ノズル１０２がノズル挿入用開口３１から自動的に退出する。そして、ノズル１０２は、さらに後退しながら、便座１０１の奥端部の下方に収容される。その後、カバー部材１を便器から取り外せば、ノズル１０２の清掃が完了する。
＜４．特徴＞
以上のように、本実施形態によれば、次の特徴を有している。
【００３５】
カバー部材１は、ノズル１０２の移動範囲の上方を覆う程度の長さに形成されているため、テープ２を便座１０１に取り付けた後、清掃部３から手を離すと、カバー部材１が便座１０１から垂れ下がり、清掃部３が便器１００内の水溜まりに接触するおそれがある。そこで、本実施形態においては、カバー部材１の長さを短くする第１態様の状態で、カバー部材１を便座１０１に取り付けるようにしている。これにより、テープ２を便座１０１に取り付けた状態で、清掃部３から手を離しても、清掃部３が水溜まりに接触するのを防止することができる。したがって、清掃用具の取扱いが容易になる。
【００３６】
また、例えば、図１０の状態から不意にノズル１０２が突出したときには、ノズル１０２の先端を清掃部３で受け止めることができるため、この状態でノズル１０２から洗浄水が吐出されても、水が飛び散るのを防止することができる。
【００３７】
また、図１５（ａ）は、図９のＡ−Ａ線端面図であるが、同図に示すように、第１態様において、カバー部材１は、上面側に折り畳まれるため、清掃部３は下方に向けて全体が露出した状態となっている。そのため、清掃部３全体によって洗浄水を受け止めることができる。これに対して、例えば、図１５（ｂ）に示すように、カバー部材１を折り曲げ線Ｓ２において下側に折り曲げると、第１態様において、清掃部３が折り畳まれたカバー部材１に挟まれるため、清掃部３全体によって洗浄水を受け止めることができない可能性がある。したがって、カバー部材１の折り畳みの方法は、第１態様での洗浄水の受け止めの観点からすれば、図１５（ａ）のようにすることが好ましい。
【００３８】
＜５．変形例＞
以上、本発明の一実施形態について説明したが、本発明はこれに限定されるものではなく、その趣旨を逸脱しない限りにおいて種々の変更が可能である。なお、以下の変形例は、適宜組み合わせ可能である。
【００３９】
＜５−１＞
カバー部材１を折り畳みによって第１態様にしているが、折り畳みの方法は特には限定されず、上記のように、幅方向の複数の折り目Ｓ１，Ｓ２によって折り畳むほか、種々の折り畳み方法によって折り畳むことができる。したがって、図１５のような折り畳み方でも構わない。また、折り畳み状態を保持するために、上記実施形態では、保持テープ４を用いたが、本発明の保持手段は、これに限定されるものではなく、種々の構成が可能である。
【００４０】
＜５−２＞
また、カバー部材１を折り畳む以外でも、カバー部材１の長さを調整できるように構成されていれば、その方法は特には限定されない。例えば、図１６に示すように、カバー部材１を前後に２分割し、両者をテープなどの連結手段５で連結することができる。そして、図１６（ａ）または図１６（ｂ）に示すように、分割したカバー部材１ａ，１ｂを所望の位置で連結すれば、カバー部材１の長さを変更することができる。なお、分割したカバー部材１ａ，１ｂを連結する連結手段は、テープ以外にも種々の構成が可能である。例えば、分割された一方のカバー部材に突部を形成し、他方のカバー部材に貫通孔、凹部等の係合可能な受け部を複数箇所に形成する。これにより、突部を、所望の受け部に係合させれば、カバー部材１の長さを調整することができる。
【００４１】
＜５−３＞
カバー部材１の形状は特には限定されず、ノズル１０２の移動範囲を上方から覆うことができるのであれば、矩形状、多角形状、円形状、楕円形状など、特には限定されない。また、上記実施形態では、カバー部材１で清掃部３を覆っているが、清掃部３を覆う部分を液不透過性で可撓性のある他の部材で構成し、これをカバー部材１に連結することもできる。
【００４２】
＜５−４＞
清掃部３は、スポンジ以外で構成することも可能である。すなわち、ノズル１０２に接触して汚れを擦ったり、拭き取ったりできるような材料であれば、特には限定されない。例えば、紙、不織布、織布またはブラシなどで形成することもできる。また、清掃部３に予め洗剤などの洗浄成分を含有させておけば、清掃効果をさらに高めることができる。
【００４３】
清掃部３の形状も特には限定されず、ノズル１０２が挿入でき、ノズル１０２の外周面を覆うように形成されていればよい。したがって、清掃部３を筒状、断面円弧状など、種々の形状にすることができる。
【００４４】
＜５−５＞
上記実施形態では、カバー部材１の先端部にテープ２を設け、これによってカバー部材１を便座１０１に取り付けているが、これに限定されるものではない。テープ２以外のクリップ、クランプ、フックなどの固定部材を利用してカバー部材１を腰掛け便器１００に固定することもできる。また、このような固定部材を設けず、例えば、カバー部材１の先端部を、便鉢１０４と便座１０１の間に挟んで固定することができる。すなわち、カバー部材１の端部が腰掛け便器１００に固定できるように構成されていればよい。
【符号の説明】
【００４５】
１        ：カバー部材
３        ：清掃部
４        ：保持テープ（保持手段）
１００    ：腰掛け便器
１０２    ：ノズル
【図１】
2018193750.tif 000003
【図２】
2018193750.tif 000004
【図３】
2018193750.tif 000005
【図４】
2018193750.tif 000006
【図５】
2018193750.tif 000007
【図６】
2018193750.tif 000008
【図７】
2018193750.tif 000009
【図８】
2018193750.tif 000010
【図９】
2018193750.tif 000011
【図１０】
2018193750.tif 000012
【図１１】
2018193750.tif 000013
【図１２】
2018193750.tif 000014
【図１３】
2018193750.tif 000015
【図１４】
2018193750.tif 000016
【図１５】
2018193750.tif 000017
【図１６】
2018193750.tif 000018